(57)【特許請求の範囲】
【請求項１】
パチンコ台等の機器に設けられたＲＯＭにラベルを貼付してＲＯＭの不正交換を防止するＲＯＭ用不正交換防止ラベルにおいて、
前記ラベルは、複数の切り込みが形成されたラベル基材と、
前記ラベル基材の貼付面側に形成された第１の粘着材層と、
前記ラベル基材の前記貼付面と反対面側に形成され、前記第１の粘着材層よりも弱粘着力の第２の粘着材層と、
前記第２の粘着材層に貼着された透明フィルムと、
前記透明フィルムの片端部に形成された非粘着部と、から成り、
前記ラベルをＲＯＭに貼付したら、非粘着部を引っ張ると透明フィルムがラベル基材から剥離し、ラベル基材の貼付面と反対側面に第２の粘着材層が露出されることを特徴とするＲＯＭ用不正交換防止ラベル。
【請求項２】
前記透明フィルムの表面には、前記ＲＯＭに対する貼付位置の目印となる印字マークが印字されていることを特徴とする請求項１のＲＯＭ用不正交換防止ラベル。
【請求項３】
前記ラベルは剥離剤が表面に塗布された帯状剥離紙に複数仮着されていることを特徴とする請求項１のＲＯＭ用不正交換防止ラベル。
【発明の詳細な説明】
【０００１】
【発明の属する技術分野】
本発明はＲＯＭ（リードオンリーメモリー）用不正交換防止ラベルに係り、特に、パチンコ遊戯機や回動式遊戯機等の博打性のある遊戯機に設けられたＲＯＭにラベルを貼付してＲＯＭの不正交換を防止するＲＯＭ用不正交換防止ラベルに関する。
【０００２】
【従来の技術】
パチンコ遊戯機の動作を制御するのに使用される電子装置は、制御プログラムが格納されたＲＯＭを備えており、不正に改造されることのないよう所定の筐体内に収納され、その筐体は封印される。
不正に多くのパチンコ玉を出す方法として、不正者が筐体を開封し、制御プログラムが格納されたＲＯＭを交換することにより電子装置を改造するという方法が報告されている。このようなＲＯＭの不正交換が横行すると、パチンコ店は多大な損失を受けるため、ＲＯＭの不正交換を防止しなくてはならない。
【０００３】
従来では、その対策として、特開平９─３４３６５号公報に開示されるように筐体が開封されるとその旨を電気的に検出する封印装置を各筐体内に設けていた。
【０００４】
【発明が解決しようとする課題】
しかしながら、従来のようにパチンコ遊戯機の１台ごとに前記封印装置を設けるのは、大変なコストがかかるという欠点がある。
本発明は、このような事情に鑑みてなされたもので、簡単にＲＯＭの不正交換を防止することができるＲＯＭ用不正交換防止ラベルを提供することを目的とする。
【０００５】
【課題を解決する為の手段】
本発明は、前記目的を達成する為に、パチンコ台等の機器に設けられたＲＯＭにラベルを貼付してＲＯＭの不正交換を防止するＲＯＭ用不正交換防止ラベルにおいて、前記ラベルは、複数の切り込みが形成されたラベル基材と、前記ラベル基材の貼付面側に形成された第１の粘着材層と、前記ラベル基材の前記貼付面と反対面側に形成され、前記第１の粘着材層よりも弱粘着力の第２の粘着材層と、前記第２の粘着材層に貼着された透明フィルムと、前記透明フィルムの片端部に形成された非粘着部と、から成り、前記ラベルをＲＯＭに貼付したら、非粘着部を引っ張ると透明フィルムがラベル基材から剥離し、ラベル基材の貼付面と反対側面に第２の粘着材層が露出されることを特徴とする。
【０００６】
本発明によれば、透明フィルムが剥離されたラベルは表面に粘着剤が露出されているので、ラベルに手が触れると、手を離す時にラベル基材に形成された切り込みによりラベルの一部が手に付着してＲＯＭから剥離される。従って、不正しようとすると、指にラベルの付着物がついてしまうので、不正行為をしたことが知られてしまう。また、不正をすると必ず、ラベルの一部が剥がれるので、ラベルの一部が剥がれたＲＯＭを発見することにより交換しようとしたことが分かる。
【０００７】
また、ＲＯＭから強引にラベルを剥がしてＲＯＭを交換した場合には、ラベルは、ラベル基材の切り込みによりバラバラに破壊されてしまい元のラベル形状がなくなる。従って、ＲＯＭを交換してラベルを再び貼付することができないので、ＲＯＭが交換されたことが一目瞭然でわかる。これにより、ＲＯＭ用不正交換防止ラベルをＲＯＭに貼付するという極めて簡単な方法でＲＯＭの不正交換や不正者を発見することができる。
【０００８】
【発明の実施の形態】
以下添付図面に従って、本発明に係るＲＯＭ用不正交換防止ラベルの好ましい実施の形態について詳説する。
図１は不正交換防止ラベル１０の構成を説明する平面図（ａ）と側断面図（ｂ）である。
【０００９】
これらの図に示すように、不正交換防止ラベル１０（以下「ラベル１０」という）はその使用前においては、ラベル基材１４の裏面に形成された粘着剤層１６が剥離剤をコーティングした帯状台紙１２に仮着されている。ラベル基材１４には多数の切り込み１８、１８…が形成され、その表面には固定情報の印字（図示せず）がなされる。
【００１０】
ラベル基材１４の表面には、透明フィルム２０が粘着剤層１６よりも弱粘着力の粘着剤層２２を介して貼着され、透明フィルム２０の表面には貼付位置の目印となる印字マーク２６が印字される。透明フィルム２０の片端部には、非粘着部２４（通称「つまみ部」）が形成されており、ラベル１０を帯状台紙１２から剥離したり、透明フィルム２０をラベル基材１４から剥離するときに指でつまむ。即ち、ラベル１０が帯状台紙１２に貼付された時点でつまみ部２４を引っ張るとラベル１０全体が帯状台紙１２から剥がれ、帯状台紙１２のない状態でつまみ部２４を引っ張ると透明フィルム２０がラベル１０全体から剥離するようになっている。
【００１１】
次に、ラベル１０をパチンコ遊戯機のＲＯＭに貼付する方法について説明する。
図２は、パチンコ遊戯機３０の構造を示す閉鎖時（ａ）と開放時（ｂ）の斜視図である。パチンコ遊戯機３０の動作を制御し制御プログラムが格納されたＲＯＭ４０は基板４２に取り付けられ、筐体４４内に密閉収納される。筐体４４は表台３２の裏面に設けられ、表台３２は裏台３４に対してヒンジ３６、３６を介して開閉自在に設けられる。
【００１２】
ラベル１０をＲＯＭ４０に貼付する際には、先ず、図２（ｂ）に示すように表台３２を回動させパチンコ遊戯機３０を開放し、筐体４４を開封する。
次に、図３に示すようにロール状に巻回された帯状台紙１２に仮着されたラベル１０の非粘着部２４を、指でつまんで帯状台紙１２から完全に剥離する。
次いで、帯状台紙１２から剥離されたラベル１０をＲＯＭ４０に貼付する。
【００１３】
図４は、ＲＯＭ４０にラベル１０を貼付した状態を示す断面図である。ラベル１０はＲＯＭ４０の上面に貼付され、ＲＯＭ４０に沿って折り曲げられ、その両端は基板４２に貼付される。また、透明フィルム２０にＲＯＭ４０を貼付する際の貼付位置の目印となる印字マーク２６を印字してあるので、貼付のやり直しによるラベル破壊がなくなるので、ラベル１０の無駄を防止できる。
【００１４】
ラベル１０がＲＯＭ４０に貼付されたら、非粘着部２４を指でつまんで、図５に示すように透明フィルム２０を剥がす。
このようにしてラベル１０の貼付が終了したら、筐体４４を密閉し、表台３２を回動させパチンコ遊戯機３０を閉鎖する。
次に、不正者がラベル１０が貼付されたＲＯＭ４０を交換しようとした場合について説明する。
【００１５】
不正者がラベル１０に手で触れると、透明フィルム２０が剥離されたラベル１０は表面に粘着剤層２２が露出されているので、手がラベル１０に付着する。そして、手を離す時にラベル基材１４に形成された切り込み１８、１８…によりラベル１０の一部が手に付着してＲＯＭ４０から剥離される。従って、不正者は手にラベル１０の付着物がついているので、不正行為をしたことが知られてしまう。また、ラベル１０の一部が剥がれたＲＯＭ４０を発見することにより交換しようとしたことが分かるので、不正行為の予防対策をとることができる。
【００１６】
また、ＲＯＭ４０から強引にラベル１０を剥がしてＲＯＭ４０を交換した場合には、ラベル１０は、ラベル基材１４の切り込み１８、１８…によりバラバラに破壊されてしまい元のラベル形状がなくなる。従って、ＲＯＭ４０を交換してラベル１０を再び貼付することができないので、ＲＯＭ４０が交換されたことが一目瞭然でわかる。これにより、ラベル１０をＲＯＭ４０に貼付するという極めて簡単な方法でＲＯＭ４０の不正交換や不正者を発見することができる。
【００１７】
【発明の効果】
以上説明したように、本発明のＲＯＭ用不正交換防止ラベルによれば、ＲＯＭ用不正交換防止ラベルをＲＯＭに貼付し透明フィルムを剥がすことにより、極めて簡単な方法でＲＯＭの不正交換や不正者を発見することができる。
【図面の簡単な説明】
【図１】不正交換防止ラベルの構成を説明する平面図と側断面図
【図２】パチンコ遊戯機の構造を示す閉鎖時と開放時の斜視図
【図３】不正交換防止ラベルが仮着された帯状台紙の斜視図でロール状に巻回されたもの
【図４】ＲＯＭに不正交換防止ラベルが貼付された状態を示す断面図
【図５】ＲＯＭに貼付された不正交換防止ラベルの透明フィルムを剥がした状態を示す断面図
【符号の説明】
１０…不正交換防止ラベル
１４…ラベル基材
１６、２２…粘着剤層
１８…切り込み
２０…透明フィルム
２６…印字マーク
３０…パチンコ遊戯機
４０…ＲＯＭ
４４…筐体
【図１】
0003774040.tif 000002
【図２】
0003774040.tif 000003
【図３】
0003774040.tif 000004
【図４】
0003774040.tif 000005
【図５】
0003774040.tif 000006